(57)【要約】  減少レートでワイヤレスアクセスを与えるための方法及びシステム。一実施形態では、ＷＡＰへのアクセスが、第１エンティティにより助成されるレートでエンドユーザに与えられる。第１エンティティは、エンドユーザビューに広告を含ませる。【選択図】図２
2008514113.tif 000002
【特許請求の範囲】
【請求項１】
第１エンティティにより助成されるレートでワイヤレスアクセスポイント（ＷＡＰ）へのアクセスをエンドユーザに与えるステップと、
前記第１エンティティがエンドユーザビューに広告を含ませるステップと、
を備えた方法。
【請求項２】
前記第１エンティティはＷＡＰのプロバイダーとは別である、請求項１に記載の方法。
【請求項３】
前記与えるステップは、インターネットへのワイヤレスアクセスをエンドユーザに与えることを含む、請求項１に記載の方法。
【請求項４】
第１エンティティにより助成されるレートでＷＡＰへのアクセスをエンドユーザに与える前記ステップは、エンドユーザ無料へのアクセスを与えることを含む、請求項１に記載の方法。
【請求項５】
前記第１エンティティが広告収入の少なくとも一部分をＷＡＰのプロバイダーに与えるステップを更に備えた、請求項１に記載の方法。
【請求項６】
減少レートでエンドユーザへのアクセスを与えるのに応答して、前記第１エンティティが広告収入の少なくとも一部分をＷＡＰプロバイダーに与えるステップを更に備えた、請求項１に記載の方法。
【請求項７】
減少レートでエンドユーザへのアクセスを与えるのに応答して、且つエンドユーザが前記第１エンティティにより含まれた広告を選択するのに更に応答して、前記第１エンティティが広告収入の一部分をＷＡＰプロバイダーに与えるステップを更に備えた、請求項１に記載の方法。
【請求項８】
減少レートでエンドユーザへのアクセスを与えるのと引き換えに、前記第１エンティティが、固定料金と、固定料金及び広告収入の一部分との一方をＷＡＰプロバイダーに与えることを含む、請求項１に記載の方法。
【請求項９】
広告収入の少なくとも一部分をＷＡＰプロバイダーに与える前記ステップは、前記第１エンティティにより与えられた広告を選択したエンドユーザによりアクセスされるＷＡＰのインターネットプロトコル（ＩＰ）アドレスを前記第１エンティティが識別することを含む、請求項５に記載の方法。
【請求項１０】
前記ＷＡＰは、ＷｉＦｉアクセスポイントである、請求項１に記載の方法。
【請求項１１】
前記アクセスを与えるステップは、エンドユーザが第１エンティティに対応するクライアントアプリケーションをインストールするのに応答してアクセスを与えることを含む、請求項１に記載の方法。
【請求項１２】
前記第１エンティティがエンドユーザビューに広告を含ませることは、エンドユーザビューのツールバーに広告を与えることを含む、請求項１に記載の方法。
【請求項１３】
第１エンティティにより助成されるレートでＷＡＰへのアクセスをエンドユーザに与える前記ステップは、第１エンティティにより助成されるレートで複数のＷＡＰへのアクセスを複数のエンドユーザに与えることを含む、請求項１に記載の方法。
【請求項１４】
ワイヤレスアクセスポイントにアクセスするエンドユーザのビューに広告を含ませるステップと、
前記広告からの収入の少なくとも一部分を前記ワイヤレスアクセスポイントのプロバイダーに与えるステップと、
を備えた方法。
【請求項１５】
第１エンティティにより助成されるレートでワイヤレスアクセスポイント（ＷＡＰ）へのインターネットアクセスをエンドユーザに与えるステップであって、前記第１エンティティがＷＡＰのプロバイダーとは別のものであるステップと、
前記エンドユーザが前記第１エンティティに対応するクライアントアプリケーションをインストールするのに応答してアクセスを与えるステップであって、前記第１エンティティがエンドユーザビューに広告を含ませるステップと、
前記ＷＡＰのプロバイダーが減少レートでエンドユーザへのアクセスを与えるのに応答して、前記第１エンティティが広告収入の少なくとも一部分を前記ＷＡＰのプロバイダーに与えるステップと、
前記エンドユーザが前記第１エンティティにより含まされた広告を選択するのに応答して、前記第１エンティティが広告収入の一部分を前記プロバイダーに与えるステップと、
前記第１エンティティにより与えられた広告を選択したエンドユーザによりアクセスされるＷＡＰのインターネットプロトコル（ＩＰ）アドレスを前記第１エンティティが識別するステップと、
を備えた方法。
【請求項１６】
第１エンティティにより助成されるレートでワイヤレスアクセスポイント（ＷＡＰ）へのアクセスをエンドユーザに与える手段と、
前記第１エンティティがエンドユーザビューに広告を含ませるための手段と、
を備えた装置。
【請求項１７】
ワイヤレスアクセスポイントにアクセスするエンドユーザのビューに広告を含ませるための手段と、
前記広告からの収入の少なくとも一部分を前記ワイヤレスアクセスポイントのプロバイダーに入金するための手段と、
を備えた装置。
【請求項１８】
実行時に、
第１エンティティにより助成されるレートでワイヤレスアクセスポイント（ＷＡＰ）へのアクセスをエンドユーザに与えるステップと、
前記第１エンティティがエンドユーザビューに広告を含ませるステップと、
を備えた方法を遂行するインストラクションのセットが記憶されたマシン読み取り可能な媒体。
【請求項１９】
実行時に、
ワイヤレスアクセスポイントにアクセスするエンドユーザのビューに広告を含ませるステップと、
前記広告からの収入の少なくとも一部分を前記ワイヤレスアクセスポイントのプロバイダーに入金するステップと、
を備えた方法を遂行するインストラクションのセットが記憶されたマシン読み取り可能な媒体。
【発明の詳細な説明】
【技術分野】
【０００１】
本発明は、一般に、ワイヤレスデータ通信に係り、より詳細には、減少レートでワイヤレスアクセスを与えることに係る。
【背景技術】
【０００２】
移動コンピュータユーザは、ＷｉＦｉアクセスポイントと一般に称される種々のワイヤレスアクセスポイント（ＷＡＰ）においてワイヤレスインターネットアクセスを楽しむことができる。このＷｉＦｉアクセスポイントは、ワイヤレス・フィデリティ（ＷｉＦｉ）アリアンスにより承認されたＩＥＥＥ８０２．１１に適合するワイヤレスアクセスポイントである。
【０００３】
典型的に、ＷｉＦｉオペレータは、移動ユーザのニーズを満足するために高トラフィック位置にＷｉＦｉアクセスポイントを配備する。しかしながら、ＷｉＦｉ配備のコストは、比較的高く、ＷｉＦｉオペレータは、それらの投資を取り戻し、ある程度の利益を得るために、適宜に顧客に料金を課する。
【０００４】
特に、ＷｉＦｉアクセスを与える際の経費の多くは、ワイヤレスインターネットアクセスに課金するためのインフラストラクチャーの設定に関するものである。例えば、ＷｉＦｉプロバイダーは、通常、ユーザの口座、ユーザの許可、使用量の計測、課金、支援、及び保守を維持することが必要となる。更に、経費は、アクセスポイントをインターネットに接続し、それらに電力供給し、それらをホスティングし、そしてそれらにサービスする毎月のコストも含む。
【０００５】
エンドユーザがＷｉＦｉアクセスポイントにアクセスするための比較的高いコストは、通常、管理者や仕事で各地を回る人にとっては問題にならない。しかしながら、多くの普通の移動コンピュータユーザは、ＷｉＦｉインターネットアクセスの利用を思いとどまることがある。というのは、彼らは、通常、それを時々必要とするだけであり、その時々のニーズに対して割増料金を支払うのを嫌がるからである。
【発明の開示】
【発明が解決しようとする課題】
【０００６】
その結果、ＷｉＦｉオペレータが何に課金するかと、普通の移動ユーザが通常何に支払おうとするかのギャップが、比較的顕著なものとなる。それ故、ＷｉＦｉインターネットアクセスは、産業として、若干遅いスタートを経験している。
【０００７】
従って、上述した制約の１つ以上を克服する方法又はシステムが要望される。
【課題を解決するための手段】
【０００８】
一実施形態において、ＷＡＰへのアクセスは、第１エンティティにより助成されたレートでエンドユーザに与えられる。この第１エンティティは、エンドユーザのビューに広告を含ませる。
【発明を実施するための最良の形態】
【０００９】
一実施形態の概略
減少レートでワイヤレスアクセスを与える方法及びシステムについて説明する。図１は、一実施形態による概略を示す図である。ワイヤレスアクセスポイント（ＷＡＰ）オペレータ１０２は、第１エンティティ１０６により助成された(subsidized)レートでエンドユーザ１０４へアクセスを与える。第１エンティティ１０６は、ＷＡＰにアクセスしたエンドユーザ１０４に与えられるビューに広告を含ませる。一実施形態では、第１エンティティ１０６は、広告収入の一部分をＷＡＰオペレータ１０２に与える。
【００１０】
本明細書全体を通して「一実施形態」又は「実施形態」を指すときは、その実施形態に関連して述べる特定の特徴、構造又は特性が少なくとも１つの実施形態に含まれることを示す。従って、本明細書全体を通して種々の場所に「一実施形態において」又は「実施形態において」という句が現われたときは、必ずしもその全部が同じ実施形態を指しているのではない。更に、特定の特徴、構造又は特性は、何らかの適当な仕方で、１つ以上の実施形態に結合されてもよい。
【００１１】
プロセスの説明
図２は、一実施形態により減少レートでワイヤレスアクセスを与えるためのプロセスを示すフローチャートである。図示されたように、段階２０２において、ＷＡＰオペレータ（ここでは、ＷｉＦｉプロバイダー又はオペレータとも称される）は、エンドユーザがアクセスするためのワイヤレスアクセスポイントを与える。一実施形態において、エンドユーザは、ＷＡＰの無料料金を利用してインターネットへのアクセスを得ることができる。別の実施形態では、エンドユーザは、従来のＷＡＰ又はＷｉＦｉホットスポットへのアクセスに通常課金されるレートに対して減少されたレートでＷＡＰオペレータに支払をする。
【００１２】
段階２０４では、エンドユーザは、行先ネットワークへのゲートウェイをなす第１エンティティのシステムを通過することにより、ＷＡＰを使用してネットワークにアクセスする。一実施形態では、行先ネットワークは、インターネットでよい。別の実施形態では、そのネットワーク以外のネットワークにアクセスしてもよい。
【００１３】
段階２０６では、第１エンティティは、エンドユーザのビューに広告を含ませる。例えば、図３に例示するように、一実施形態により、エンドユーザのビュー３０８に表示されたツールバー３０６に広告３０２−３０４が与えられる。ツールバーは、ウェブブラウザのようなアプリケーションのファンクションをアクチベートするのに使用されるオンスクリーンボタンの行又は列を含む。別の実施形態では、第１エンティティからの広告は、エンドユーザによりアクセスされるか又はエンドユーザに与えられるコンテンツ内（又はその側部）のような別の場所に入れられてもよい。
【００１４】
広告は、エンドユーザの活動とは独立したペースでサービスされ続けてもよい。例えば、一実施形態では、第１エンティティによりエンドユーザのビューに入れられる広告は、見ているウェブページ又はその他が更新されるかどうかに関わらず、リフレッシュされ続けてもよい。又、広告は、ページの移行中にサービスされてもよい。
【００１５】
更に、エンドユーザに対して広告がサービスされる仕方は、一実施形態では、第１エンティティのゲートウェイを通過するネットワークトラフィックの形式とは独立している。例えば、ＷＡＰのエンドユーザが、インスタントメッセージングＩＭアクティビティを遂行するためにインターネットにアクセスしたかどうかに関わらず、第１エンティティは、エンドユーザへの広告を、エンドユーザのツールバー、又はダウンロードされたウェブページコンテンツに入れるようサービスしてもよい。
【００１６】
エンドユーザのビューに入れられるべき広告を選択するために第１エンティティにより使用されるプロセスは、実施の仕方に基づいて異なってもよい。例えば、広告を選択するのに使用されるプロセスは、各ＷＡＰの地理的位置、ＷＡＰを与えるエンティティのオペレーション、ＷＡＰにアクセスするエンドユーザのプロフィール、ＷＡＰのプロフィール、各エンドユーザによりアクセスされるコンテンツ、及び他のネットワーク／インターネットのアクティビティのようなファクタに基づいてもよい。
【００１７】
第１エンティティによりエンドユーザのビューに入れられる広告を選択するための付加的な実施形態は、２００４年９月１４日に出願された“Method and System To Provide Advertisements Based on Wireless Access Points”と題する米国特許出願第１０／９４１，４３１号、及び“Method and System To Profile Wireless Access Points”と題する米国特許出願に説明されており、これらは、両方とも、参考としてここに援用する。
【００１８】
一実施形態において、第１エンティティにより与えられる広告は、エンドユーザにより選択されたときに付加的な情報を表示させるハイパーリンクで提示されてもよい。一実施形態では、段階２０８において、広告のハイパーリンクがエンドユーザにより選択されたときに、各広告主が第１エンティティにより勘定請求される。
【００１９】
段階２１０では、第１エンティティは、次いで、ＷＡＰプロバイダーに広告収入の一部分を入金する。収入の一部分は、均一レート、広告収入のあるパーセンテージ、又はその組み合せを含んでもよい。一実施形態では、第１エンティティは、広告にアクセスしたエンドユーザにより与えられるＷＡＰのインターネットプロトコル（ＩＰ）アドレスを経て入金されるべきＷＡＰを識別する。
【００２０】
広告収入の一部分を受け取る結果として、ＷＡＰプロバイダーは、ＷＡＰを提供する経費をカバーし、ＷＡＰへのアクセスを減少レートでエンドユーザに与えながら利益を取り戻してもよい。
【００２１】
一実施形態では、第１エンティティが各ＷＡＰのエンドユーザに提示されるビューに広告を含ませるようにするために、ＷＡＰは、実際上、第１エンティティを通してインターネットトラフィックをトンネル通過させるように限定される。図４は、一実施形態によりＷＡＰから第１エンティティへトラフィックを与えるプロセスを示すフローチャートである。段階４０２において、ＷＡＰのルーティングテーブルにおけるデフォールトゲートウェイは、スタティックルートにおいて構成されるもの以外の全てのトラフィックを阻止するように変更されてもよい。
【００２２】
スタティックルートで与えられるもの以外のネットワークサイトにアクセスするために、段階４０４では、エンドユーザは、第１エンティティのシステムをゲートウェイとして使用する。例えば、一実施形態において、エンドユーザは、第１エンティティのシステムとでバーチャルパケットネットワーク（ＶＰＮ）を確立するか又はそれを通してプロキシーとなる。
【００２３】
一実施形態では、クライアントアプリケーションがエンドユーザシステムにロードされる。クライアントアプリケーションでは、エンドユーザは、第１エンティティとでＶＰＮを確立するか又はそれを通してプロキシーとなり、他のネットワークサイトにアクセスすることができる。
【００２４】
段階４０６では、一実施形態において、スタティックルートがダイナミックネームシステム（ＤＮＳ）又はウインドウズインターネットネームサービス（ＷＩＮＳ）サーバーに与えられ、ＤＮＳ／ＷＩＮＳ問合せを通すのを許す。更に、段階４０８において、付加的なスタティックルートが第１エンティティのデータセンターにも与えられ、第１エンティティのデータセンターへのトラフィックを通すのを許す。
【００２５】
システムアーキテクチャーの説明
図５は、一実施形態によりＷｉＦｉアクセスポイント５２４から第１エンティティを通るインターネットトラフィック５０３のトンネル作用を示すネットワーク図である。図示されたように、デフォールトゲートウェイ５０２は、他のウェブサイト５０４ａ−５０４ｃへのアクセスを阻止するように変更されてもよい。ＩＰアドレスを分析するために、ＤＮＳ又はＷＩＮＳサーバー５１０へのスタティックルート５０６−５０８を与えてもよい。又、第１エンティティのデータセンター５２０へのスタティックルート５１２−５１８を与えて、エンドユーザ５２６が問題なく第１エンティティに到達し得るようにしてもよい。
【００２６】
エンドユーザ５２６が、スタティックルートで与えられる以外のインターネットサイトへのアクセスを望むときには、エンドユーザ５２６は、第１エンティティのシステム５２２とでバーチャルパケットネットワーク（ＶＰＮ）を確立するか又はそれを通してプロキシーとなることができる。その結果、一実施形態では、インターネットトラフィック５０３が、インターネット行先の前に、第１エンティティを通して進行する。
【００２７】
別の実施形態では、別の手段を使用して、ＷｉＦｉアクセスポイントから第１エンティティを通してインターネットトラフィックをトンネル作用させることができる。例えば、別の手段は、第１エンティティがそれ自身のＷｉＦｉアクセスポイントを与えるようにすること、及び／又はサービスセット識別子ワイヤード等価プライバシー（ＳＳＩＤ−ＷＥＰ）設定のリストをエンドユーザによりダウンロードさせて、そのリストされたＷｉＦｉアクセスポイントのいずれかへ接続すること、を含む。
【００２８】
別の実施形態では、広告以外のデータを、第１エンティティにより、ＷＡＰにアクセスするエンドユーザに提示されるビューに挿入することができる。例えば、データは、メッセージの形態でもよいし、又はハイパーリンクを含まないスタティックな広告の形態でもよい。メッセージ又は挿入されたスタティック広告を有する当事者は、エンドユーザに提示されるビューにデータを含ませるために均一レートで第１エンティティに支払してもよい。第１エンティティは、エンドユーザに減少レートでアクセスを与えた１つ以上のＷＡＰで収集した収入の一部分を分け合う。
【００２９】
更に、上述したプロセス及びアーキテクチャーは、多数の異種のＷＡＰを含む多数のＷＡＰに対して減少レートでワイヤレスアクセスを与えるのに使用されてもよい。
【００３０】
一般的な法律上のステートメント
上述したプロセスは、実行されるべきインストラクションのセットとしてコンピュータシステムのメモリに記憶することができる。更に、上述したプロセスを遂行するためのインストラクションは、磁気及び光学ディスクを含む他の形式のマシン読み取り可能な媒体に記憶されてもよい。例えば、ここに述べるプロセスは、ディスクドライブ（又はコンピュータ読み取り可能な媒体ドライブ）を経てアクセスできる磁気ディスク又は光学ディスクのようなマシン読み取り可能な媒体に記憶することができる。更に、インストラクションは、コンパイルされリンクされたバージョンの形態でデータネットワークを経てコンピューティング装置へダウンロードすることができる。
【００３１】
或いは又、上述したプロセスを遂行するためのロジックは、付加的なコンピュータ及び／又はマシン読み取り可能な媒体、例えば、大規模集積回路（ＬＳＩ）や特定用途向け集積回路（ＡＳＩＣ）のような個別のハードウェアコンポーネント、ファームウェア、例えば、電気的に消去可能なプログラマブルリードオンリメモリ（ＥＥＰＲＯＭ）、並びに電気的、光学的、音響的及び他の形態の伝播信号（例えば、搬送波、赤外線信号、デジタル信号、等）、等々で実施することができる。
【００３２】
以上、本発明は、その特定の実施形態を参照して説明された。しかしながら、特許請求の範囲に規定された本発明の精神及び範囲から逸脱せずに、種々の変更や修正がなされ得ることが明らかであろう。従って、前記説明及び添付図面は、単なる例示であって、何らこれに限定されるものではない。
【図面の簡単な説明】
【００３３】
【図１】一実施形態による概略を示す図である。
【図２】一実施形態により減少レートでワイヤレスアクセスを与えるプロセスを示すフローチャートである。
【図３】一実施形態により表示される広告を示す図である。
【図４】一実施形態により第１エンティティを通してトラフィックを与えるプロセスを示すフローチャートである。
【図５】一実施形態によるシステムアーキテクチャー図である。
【図１】
2008514113.tif 000003
【図２】
2008514113.tif 000004
【図３】
2008514113.tif 000005
【図４】
2008514113.tif 000006
【図５】
2008514113.tif 000007
【国際調査報告】
2008514113.tif 000008
2008514113.tif 000009
2008514113.tif 000010
2008514113.tif 000011
2008514113.tif 000012